(57)【要約】【課題】効果的に防犯対策を行うことができるプロジェクタを提供する。【解決手段】投映室内から室外方向に動きのある画像を投映する投映部１４と、前記投映室内の情報を取得する情報取得部４と、前記情報に基づいて定められた時間帯において前記投映部により前記画像を投映する投映制御部４とを備える。【選択図】  図１
2013178444.tif 000002
【特許請求の範囲】
【請求項１】
投映室内から室外方向に動きのある画像を投映する投映部と、
前記投映室内の情報を取得する情報取得部と、
前記情報に基づいて定められた時間帯において前記投映部により前記画像を投映する投映制御部と
を備えることを特徴とするプロジェクタ。
【請求項２】
前記情報は、ユーザの生活パターンであることを特徴とする請求項１記載のプロジェクタ。
【請求項３】
前記情報取得部は、前記ユーザが前記投映室内に在室しているか否かの在室情報を検知する検知部であることを特徴とする請求項２記載のプロジェクタ。
【請求項４】
前記情報取得部は、前記生活パターンを入力する入力部であることを特徴とする請求項２記載のプロジェクタ。
【請求項５】
前記投映部は、前記画像の投映方向を変更しながら前記画像の投映を行うことにより前記動きのある画像を投映することを特徴とする請求項１〜４の何れか一項に記載のプロジェクタ。
【請求項６】
前記投映方向を変更する変更速度は可変であることを特徴とする請求項５記載のプロジェクタ。
【請求項７】
前記動きのある画像は動画であることを特徴とする請求項１〜４の何れか一項に記載のプロジェクタ。
【請求項８】
前記投映室の窓部を撮像する撮像部を備え、
前記投映部は、前記ユーザが前記投映室内に在室している時に撮像した画像を投映することを特徴とする請求項１〜７の何れか一項に記載のプロジェクタ。
【請求項９】
前記室外の環境情報を取得する環境取得部を更に備え、
前記投映制御部は、前記環境情報に応じて前記投映部により前記画像の投映を行うことを特徴とする請求項１〜８の何れか一項に記載のプロジェクタ。
【請求項１０】
ユーザの特徴を記憶する特徴記憶部と、
前記室外の環境情報を取得する環境取得部と
を備え、
前記投映制御部は、前記環境取得部により取得された前記環境情報が前記ユーザの特徴であると認識した場合に前記投映部による投映を停止することを特徴とする請求項１〜８の何れか一項に記載のプロジェクタ。
【請求項１１】
ユーザの特徴を記憶する特徴記憶部と、
前記室外の環境情報を取得する環境取得部と、
前記環境取得部により取得された前記環境情報と前記ユーザの特徴とが異なる場合に、前記環境に関する情報を記憶する環境記憶部と
を備えることを特徴とする請求項１〜８の何れか一項に記載のプロジェクタ。
【請求項１２】
前記投映部が設置された位置及び他の照明器具が設置された位置を記憶する位置記憶部を備え、
前記投映制御部は、前記投映部の位置及び前記他の照明器具の位置に基づいて、前記投映部による投映を前記他の照明器具による照明と連動させて行うことを特徴とする請求項１〜１１の何れか一項に記載のプロジェクタ。
【発明の詳細な説明】
【技術分野】
【０００１】
本発明は、プロジェクタに関するものである。
【背景技術】
【０００２】
不在時であっても在室しているかのように見せるための防犯装置が知られている（例えば、特許文献１参照）。この防犯装置においては、室外に人感センサを設置し、この人感センサが人物を検知したときに室内の照明を点灯させている。
【先行技術文献】
【特許文献】
【０００３】
【特許文献１】特開２００６−２３８０９６号公報
【発明の概要】
【発明が解決しようとする課題】
【０００４】
しかし、この防犯装置では、人感センサで検知できない場所から建築物を観察されると、不在であることを認識される虞があった。
【０００５】
本発明の目的は、効果的に防犯対策を行うことができるプロジェクタを提供することである。
【課題を解決するための手段】
【０００６】
本発明に係るプロジェクタは、投映室内から室外方向に動きのある画像を投映する投映部と、前記投映室内の情報を取得する情報取得部と、前記情報に基づいて定められた時間帯において前記投映部により前記画像を投映する投映制御部とを備えることを特徴とする。
【発明の効果】
【０００７】
本発明に係るプロジェクタによれば、効果的に防犯対策を行うことができる。
【図面の簡単な説明】
【０００８】
【図１】本発明の実施の形態に係るプロジェクタのシステム構成を示すブロック図である。
【図２】本発明の実施の形態に係るプロジェクタの投映処理を示すフローチャートである。
【発明を実施するための形態】
【０００９】
以下、図面を参照して本発明の実施の形態に係る防犯装置について、プロジェクタを例に説明する。図１は、実施の形態に係るプロジェクタのシステム構成を示すブロック図である。プロジェクタ２はＣＰＵ４を備え、ＣＰＵ４にはＬＥＤ（発光ダイオード）等により構成される光源６、ＬＣＯＳ（反射型液晶素子）等により構成され投映画像を表示する表示部８、投映レンズ１０の投映方向を変更させる駆動部１２が接続されている。ここで、光源６、表示部８、投映レンズ１０及び駆動部１２は投映ユニット１４を構成し、表示部８に表示された投映画像は、光源６から射出された光により読み出され、投映レンズ１０を介して投映される。また、投映ユニット１４は住居の室内等、建築物の内部の投映室等に設置され、投映レンズ１０を介して投映画像を窓やカーテン等の窓部方向に投映可能に設置される。
【００１０】
また、ＣＰＵ４には、ユーザの生活パターンを導出するためのプログラムや生活パターン等に基づいて画像を投映する時間帯等の投映条件を設定するためのプログラム、投映ユニット１４に設定された投映条件や投映方法により投映を行わせるためのプログラム等を記憶するメモリ１６、投映画像の画像データやユーザの生活パターン等を記憶する記憶部１８、室内等の建築物の内部を撮影する第１カメラ２０、室外等の建築物の外部を撮影する第２カメラ２２、建築物の外部の音を集音するマイク２４、建築物の外部に対して音を発生させるスピーカ２６、時計２８、ユーザが生活パターン等を入力する操作部３０が接続されている。
【００１１】
次に、図２に示すフローチャートを参照して実施の形態に係るプロジェクタの投映処理について説明する。ＣＰＵ４は、ユーザが不在であることを検出すると、本フローチャートに示す処理を開始する。ここで、ＣＰＵ４は、第１カメラ２０により撮影した画像にユーザが所定時間以上継続して含まれていない場合、またはユーザにより操作部３０を介して不在となる旨が入力された場合等にユーザが不在であることを検出する。
【００１２】
まず、ＣＰＵ４は、時計２８を参照して生活パターンに基づいて定められた時間帯となったか否かを判定する（ステップＳ１）。ここで、生活パターンは、学習により求められたものであってもよいし、操作部３０を介したユーザの入力操作により入力されたものであってもよい。学習により求める場合には、第１カメラ２０により撮影を行い、ＣＰＵ４は撮影された画像からユーザの在室情報を取得する。在室情報を取得する場合にはＣＰＵ４は、第１カメラ２０により撮影した画像にユーザが所定時間以上継続して含まれていない場合には不在であると判断し、そうでない場合には在室していると判断する。また、このとき第１カメラ２０により撮影された画像に対して顔認識処理を行うことにより、在室している人物がユーザであることを確認してもよい。また、ユーザが入力操作により在室情報を取得する場合には、ユーザはどの時間帯に在室し、どの時間帯に不在であるかを操作部３０を介して入力する。
【００１３】
そして、ＣＰＵ４は、在室情報に基づいてユーザがどの時間帯に在室し、どの時間帯に不在であるかの生活パターンを記憶部１８に記憶させる。例えば、第１カメラ２０により１週間分のユーザの在室情報を得て、平日において木曜日以外は午後７時に帰宅し、木曜日は午後１０時に帰宅する等の生活パターンを記憶させることができる。また、就寝時間等の消灯時間をさらに生活パターンとして記憶させることができる。
【００１４】
なお、第１カメラ２０を、赤外線カメラや赤外線検出装置等の人感センサとしてもよいし、第１カメラ２０に代えて、または第１カメラ２０に加えて建築物の内部の音を集音するマイクを設けることにより、建築物内部の音に基づいて在室情報を取得し、生活パターンを導き出す構成としてもよい。
【００１５】
また、在室情報の取得を継続することにより一旦記憶部１８に記憶した生活パターンを修正する構成としてもよい。また、平日と土休日とで異なる生活パターンを用いてもよいし、例えば、カレンダーと同期させることにより夏休みや正月休み等の長期休暇においては通常の平日や土休日とは異なる生活パターンを用いてもよい。
【００１６】
生活パターンに基づいて定められた時間帯となった場合には（ステップＳ１：Ｙｅｓ）、ＣＰＵ４は投映ユニット１４に画像の投映を開始させる（ステップＳ２）。即ち、記憶部１８に記憶された生活パターンにおいて、ユーザが不在である時間帯となった場合に投映を開始させる。
【００１７】
ここで、プロジェクタ２は建築物の内部に設置され、投映ユニット１４を介して建築物の窓やカーテン等の窓部を含む領域に動きのある画像を投映する。動きのある画像としては動画であってもよいし、駆動部１２により投映方向を変更させながら投映することによって動きのある画像としてもよい。駆動部１２により投映方向を変更させる場合には窓部を含む領域に画像が投映されるように投映方向を変更する。また、予め窓部を含む領域を投映方向として設置してもよいし、第１カメラ２０により撮影を行い、窓部を認識した後に駆動部１２により投映方向を窓部を含む領域に変更する構成としてもよい。
【００１８】
また、投映レンズ１０がズーム可能なレンズである場合には、ズーム機能を用いた投映画像の拡大・縮小を行うことにより動きのある画像としてもよい。また、プロジェクタ２が表示部８に表示させる画像の拡大・縮小や表示位置の変更を行う画像処理部を備える場合には、画像処理部により画像に処理を施すことにより動きのある動画としてもよい。
【００１９】
また、第１カメラ２０により窓部を含む領域を撮影した画像を投映に用いる画像としてもよい。この場合には、より臨場感のある投映を行うことができる。
【００２０】
次に、ＣＰＵ４は、生活パターンに基づいて定められた時間帯を経過したか否かを判定する（ステップＳ３）。例えば、記憶部１８に記憶された生活パターンにおいて消灯時間等になったか否かを判定する。
【００２１】
生活パターンに基づいて定められた時間帯を経過していない場合には（ステップＳ３：Ｎｏ）、ＣＰＵ４はユーザが在室状態となったか否か、即ちユーザが帰宅したか否かを判定する（ステップＳ４）。即ち、ＣＰＵ４は第２カメラ２２に建築物の外部を撮影させ、顔認識することによりユーザが帰宅したか否かを判定する。また、第２カメラ２２により撮影された画像に代えて、または第２カメラ２２により撮影された画像に加えて、マイク２４から集音された音によりユーザが帰宅したか否かを判定してもよい。この場合には、例えばＣＰＵ４は、ユーザの声を音声認識することによりユーザが帰宅したことの判定を行う。
【００２２】
ユーザが帰宅した場合には（ステップＳ４：Ｙｅｓ）、ＣＰＵ４は投映ユニット１４による投映を停止させ（ステップＳ５）、本フローチャートに示す処理を終了する。一方、ユーザが帰宅していない場合には、ステップＳ３に示す処理に戻る。
【００２３】
また、ステップＳ３において生活パターンに基づいて定められた時間帯を経過した場合には、ＣＰＵ４は投映ユニット１４による投映を停止させ（ステップＳ５）、本フローチャートに示す処理を終了する。
【００２４】
生活パターンに基づいて定められた時間帯となっていない場合には（ステップＳ１：Ｎｏ）、ＣＰＵ４はマイク２４により集音した音声に基づいて、建築物の外部で不審な物音がするか否かを判定する（ステップＳ６）。不審な物音がしない場合には、ステップＳ１に示す処理に戻る。
【００２５】
一方、不審な物音がする場合には、ＣＰＵ４は投映ユニット１４に画像の投映を開始させる（ステップＳ７）。なお、ステップＳ７の投映処理における投映方向及び投映する画像は、上述のステップＳ２の投映処理と同様であるため説明を省略する。また、このとき、スピーカ２６から建築物の外部に対して音を発生させてもよい。
【００２６】
次に、ＣＰＵ４はマイク２４により集音した音声に基づいて、建築物の外部で不審な物音が継続しているか否かを判定する（ステップＳ８）。不審な物音が継続している場合には、ＣＰＵ４はユーザが在室状態となったか否か、即ちユーザが帰宅したか否かを判定する（ステップＳ９）。なお、ステップＳ９に示す処理は、上述のステップＳ４に示す処理と同様であるため、説明を省略する。
【００２７】
ユーザが帰宅した場合には（ステップＳ９：Ｙｅｓ）、ＣＰＵ４は投映ユニット１４による投映を停止させ（ステップＳ５）、本フローチャートに示す処理を終了する。一方、ユーザが帰宅していない場合には、ステップＳ８に示す処理に戻る。
【００２８】
ステップＳ８において不審な物音がしなくなった場合には、ＣＰＵ４は投映ユニット１４による投映を停止させ（ステップＳ１０）、ステップＳ１に示す処理に戻る。
【００２９】
本実施の形態に係るプロジェクタによれば、ユーザの不在時であっても在室しているかのようにカモフラージュすることにより効果的に防犯対策を行うことができる。
【００３０】
なお、上述の実施の形態においては、図２のフローチャートに示すステップＳ７において不審な物音がする場合に投映ユニット１４に画像の投映を開始させる構成としたが、投映レンズ１０がズーム可能なレンズである場合にはズーム機能を用いて窓部に投映される画像を拡大してもよい。これによりユーザが物音に気づいて窓部に近づいたようにカモフラージュすることができる。また、プロジェクタ２が表示部８に表示させる画像の拡大・縮小等を行う画像処理部を備える場合には、画像処理部により画像に処理を施すことにより窓部に投映される画像を拡大してもよい。
【００３１】
また、上述の実施の形態においては、第１カメラ２０により撮影された画像または操作部３０を用いた入力操作に基づいてユーザの在室情報を取得する構成としたが、プロジェクタ２がサーバに接続可能な通信部を備える場合には、サーバから在室情報を取得する構成としてもよい。例えば、ユーザが携帯電話やＰＣを用いてサーバ上に在室情報を入力し、ＣＰＵ４はサーバ上の在室情報を取得する。
【００３２】
また、プロジェクタ２がサーバに接続可能な記憶部１８に複数の生活パターンを記憶させ、サーバから取得した情報に基づいて用いる生活パターンを決定してもよい。例えば、記憶部１８に晴天用の生活パターンの他に、晴天用の生活パターンよりも投映を開始する時間帯が早い曇天用や雨天用等の天気に基づく生活パターンを記憶させる。そして、ＣＰＵ４はサーバから取得した天気に基づいて用いる生活パターンを決定し、図２のフローチャートに示す投映処理を行う。
【００３３】
また、上述の実施の形態においては、プロジェクタ２による投映処理と建築物の内部に設けられている照明器具の動作とを連動させてもよい。例えば、建築物の内部にリビングと居室とがある場合であって、リビングにプロジェクタ２が設置されている場合には、例えば、居室の照明器具を点灯している間はプロジェクタ２による投映を行わず、プロジェクタ２により投映を行っている間は居室の照明器具を消灯する。
【００３４】
また、上述の実施の形態の図２に示すフローチャートのステップＳ４及びＳ９においてユーザが帰宅したか否かの判定を行う場合に、第２カメラ２２により撮影された画像に対して顔認識処理を行いユーザでないと判定した際に、ＣＰＵ４は撮影された画像を記憶部１８に記憶させる構成としてもよい。これにより、撮影された画像に含まれる人物が不審者であった場合に不審者に関する情報を記憶することができる。
【００３５】
また、上述の実施の形態においては、ユーザが不在であることを検出すると、図２のフローチャートに示す投映処理を開始する構成としたが、ユーザが在室している場合においても記憶部１８に記憶された生活パターンに基づいて投映処理を行ってもよい。この場合には、女性等が１人暮らしの場合であっても、室内に複数人いるようにカモフラージュすることができ、効果的に防犯対策を行うことができる。
【符号の説明】
【００３６】
２…プロジェクタ、４…ＣＰＵ、６…光源、８…表示部、１２…駆動部、１４…投映ユニット、１６…メモリ、１８…記憶部、２０…第１カメラ
【図１】
2013178444.tif 000003
【図２】
2013178444.tif 000004